(57)【要約】【課題】ファクシミリ通信をより効果的に行うこと。【解決手段】カラー画像情報を通信可能なファクシミリ装置において、ＤＩＳ信号のＦＩＦに、色空間Ｌａｂを用いた各種画像情報の受信機能の有無を通知する６８〜７５ビットが設けられ、更に、色空間ｓＹＣＣを用いた画像情報の受信機能の有無を通知するＸビットが設けられている。そして、ＤＩＳ信号のＦＩＦのＸビットに１を立て、色空間ｓＹＣＣを用いた画像情報の受信機能が有ることを送信側のファクシミリ装置に通知した場合であって、送信側からのＤＣＳ信号のＦＩＦのＸビットにも１が立ち、色空間ｓＹＣＣでの送信が指定された場合には、ＤＩＳ信号のＦＩＦの６９〜７５ビットを、色空間ｓＹＣＣを用いた各種画像情報の受信機能の有無を通知するビットとして用いて再度、ＤＩＳ信号を送信する。【選択図】　図２
2004140465.tif 000002
【特許請求の範囲】
【請求項１】
カラー画像情報を通信可能なファクシミリ装置において、
色空間Ｌａｂを用いた各種画像情報の受信機能の有無を通知する第１手段と、
色空間ｓＹＣＣを用いた画像情報の受信機能の有無を通知する第２手段と、
を有し、
前記第２手段で色空間ｓＹＣＣを用いた画像情報の受信機能が有ることを通知した場合には、前記第１手段は、色空間ｓＹＣＣを用いた各種画像情報の受信機能の有無を通知する手段として機能することを特徴とするファクシミリ装置。
【発明の詳細な説明】
【０００１】
【発明の属する技術分野】
本発明は、ファクシミリ通信に関するものである。
【０００２】
【従来の技術】
従来のファクシミリ装置は、カラー情報の送信はＩＴＵ−Ｔ勧告Ｔ．８２で規定されているＪＰＥＧ符号化にて、ＩＴＵ−Ｔ勧告Ｔ．４２の色空間Ｌａｂでフルカラー情報の送信を実行していた。送信機、受信機ともにスタンドアローンのファクシミリ装置であれば、これで充分に対応することができる。
【０００３】
【発明が解決しようとする課題】
しかしながら、例えば、デジタルカメラで撮影したカラー情報の色空間はｓＹＣＣである。また、パソコンにてカラー情報を表示する場合の色空間はｓＹＣＣである。
【０００４】
よって、上記従来例においては、デジタルカメラで撮影した情報、あるいは、パソコンにて表示している情報をファクシミリ送信する時は、一度、ｓＹＣＣの色空間をＲＧＢまで戻して、再度、色空間をＬａｂに変換して送信しなければならず非常に手間であり、また、この変換での画質劣化が発生するという欠点があった。さらに、ここで、従来のファクシミリ通信は、色空間ｓＹＣＣの関連情報をネゴシエーションできないという欠点があった。
【０００５】
本発明は、上記従来技術の課題を解決するために成されたもので、その目的とするところは、ファクシミリ通信をより効果的に行うことにある。
【０００６】
【課題を解決するための手段】
上記目的を達成するため、本発明に係る装置は、カラー画像情報を通信可能なファクシミリ装置であって、
色空間Ｌａｂを用いた各種画像情報の受信機能の有無を通知する第１手段と、
色空間ｓＹＣＣを用いた画像情報の受信機能の有無を通知する第２手段と、
を有し、
前記第２手段で色空間ｓＹＣＣを用いた画像情報の受信機能が有ることを通知した場合には、前記第１手段は、色空間ｓＹＣＣを用いた各種画像情報の受信機能の有無を通知する手段として機能することを特徴とする。
【０００７】
【発明の実施の形態】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
【０００８】
＜構成＞
図１は、本発明の第１実施形態であるファクシミリ装置の概略構成を示すブロック図である。
【０００９】
２は、ＮＣＵ（網制御装置）である。これは、電話網をデータ通信等に使用するために、その回線の端末に接続し、電話交換網の接続制御を行ったり、データ通信路への切り換えを行ったり、ループの保持を行うものである。また、ＮＣＵ２は、バス２６からの制御により、電話回線２ａを電話機側に接続（ＣＭＬオフ）したり、電話回線２ａをファクシミリ装置側に接続（ＣＭＬオン）するものである。なお、通常状態では、電話回線２ａは、電話機４側に接続されている。
【００１０】
４は、電話機である。６は、ハイブリッド回路であり、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で復調器８に送るものである。
【００１１】
８は、変復調器であり、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を行う変復調器であり、バス２６の制御により、各伝送モードが指定される。変復調器８は、バス２６からの送信信号を入力し、変調データを信号線８ａに出力し、信号線６ａに出力されている受信信号を入力し、復調データをバス２６に出力する。
【００１２】
１０は、発呼回路であり、バス２６からの信号により、電話番号情報を入力し、信号線１０ａにＤＴＭＦの選択信号を出力する。１２は、加算回路であり、信号線８ａの情報と信号線１０ａの情報を入力し、加算した結果を信号線１２ａに出力する。１４は、カラー読み取り可能な読取回路であり、読み取りデータをバス２６に出力する。１６は、カラー記録可能な記録回路であり、バス２６に出力されている情報を順次１ライン毎に記録する。
【００１３】
１８は、メモリ（ＲＡＭ）である。ワーク用の領域の他、読み取りデータの生情報、あるいは、符号化した情報を格納したり、また、受信情報、あるいは、復号化した情報等をバス２６を介して格納したりする領域を有する。２０は、操作部であり、ワンタッチダイヤル、短縮ダイヤル、テンキー、＊キー、＃キー、スタートキー、ストップキー、セットキー、ファイル情報の送信を選択するキー、カラー原稿送信選択キー、その他のファンクションキーがあり、押下されたキー情報はバス２６に出力される。操作部２０には、表示部があり、バス２６に出力されている情報を入力し、表示する。
【００１４】
２２は、ＣＰＵ（中央処理装置）であり、ファクシミリ全体の制御をしたり、ファクシミリ伝送制御手順を実行するが、その制御プログラムは、ＲＯＭ２４に格納される。
【００１５】
２６は、バスである。２８は、カードインターフェイスであり、３０のメモリカード（例えば、デジタルカメラで撮影した情報が記憶されているコンパクトフラッシュ（登録商標）カード）がセットされる。
【００１６】
２４は、本実施形態に係るファクシミリ装置全体を制御する制御プログラムを格納するＲＯＭである。
【００１７】
この制御プログラムは、ファクシミリ受信の前手順において、送信側のファクシミリ装置に対し、色空間ＬａｂでのＪＰＥＧ符号化情報の受信機能の有無、色空間Ｌａｂでのフルカラー情報の受信機能の有無、色空間Ｌａｂでの１画素情報の拡張ビット数の受信機能の有無、色空間Ｌａｂでのオプションサブサンプリングの受信機能の有無、色空間Ｌａｂでの非標準照射光の受信機能の有無、色空間Ｌａｂでの非標準ガミュート範囲の受信機能の有無、及び、色空間ｓＹＣＣでの受信機能の有無、といった機能情報を通知する手段としてＣＰＵを機能させるプログラムを含んでいる。
【００１８】
ここで、前手順にて、受信機から送信機に色空間ｓＹＣＣでの受信機能有りを通知している場合には、上記の、色空間ＬａｂでのＪＰＥＧ符号化情報の受信機能の有無、色空間Ｌａｂでのフルカラー情報の受信機能の有無、色空間Ｌａｂでの１画素情報の拡張ビット数の受信機能の有無、色空間Ｌａｂでのオプションサブサンプリングの受信機能の有無、色空間Ｌａｂでの非標準照射光の受信機能の有無、色空間Ｌａｂでの非標準ガミュート範囲の受信機能の有無を通知する手段は、そのまま、色空間ｓＹＣＣでのＪＰＥＧ符号化情報の受信機能の有無、色空間ｓＹＣＣでのフルカラー情報の受信機能の有無、色空間ｓＹＣＣでの１画素情報の拡張ビット数の受信機能の有無、色空間ｓＹＣＣでのオプションサブサンプリングの受信機能の有無、色空間ｓＹＣＣでの非標準照射光の受信機能の有無、色空間ｓＹＣＣでの非標準ガミュート範囲の受信機能の有無を通知する手段として機能する場合がある。
【００１９】
また、この制御プログラムは、ファクシミリ送信の前手順において、受信側のファクシミリ装置に対し、色空間ＬａｂでのＪＰＥＧ符号化情報の送信か否か、色空間Ｌａｂでのフルカラー情報の送信か否か、色空間Ｌａｂでの１画素情報の拡張ビット数の送信か否か、色空間Ｌａｂでのサブサンプリングの送信か否か、色空間Ｌａｂでの非標準照射光の送信か否か、色空間Ｌａｂでの非標準ガミュート範囲の送信か否か、といった送信情報を通知する手段としてＣＰＵを機能させるプログラムをも含み、更に、色空間ｓＹＣＣでの送信か否かをも受信側に通知するプログラムをも含んでいる。
【００２０】
そして、色空間ｓＹＣＣでの送信であることを受信側に通知する場合には、色空間ＬａｂでのＪＰＥＧ符号化情報の送信か否か、色空間Ｌａｂでのフルカラー情報の送信か否か、色空間Ｌａｂでの１画素情報の拡張ビット数の送信か否か、色空間Ｌａｂでのサブサンプリングの送信か否か、色空間Ｌａｂでの非標準照射光の送信か否か、色空間Ｌａｂでの非標準ガミュート範囲の送信か否か、といった送信情報を通知する手段は、そのまま、色空間ｓＹＣＣでのＪＰＥＧ符号化情報の送信か否か、色空間ｓＹＣＣでのフルカラー情報の送信か否か、色空間ｓＹＣＣでの１画素情報の拡張ビット数の送信か否か、色空間ｓＹＣＣでのサブサンプリングの送信か否か、色空間ｓＹＣＣでの非標準照射光の送信か否か、色空間ｓＹＣＣでの非標準ガミュート範囲の送信か否か、といった送信情報を通知する手段として機能する。
【００２１】
この制御プログラムは、上記のような機能情報を受信側のファクシミリ装置から受け取りその内容を解析する手段としてＣＰＵを機能させるプログラム及び上記のような送信情報を送信側のファクシミリ装置から受け取りその内容を解析する手段としてＣＰＵを機能させるプログラムをも含む。
【００２２】
具体的には、本実施形態に係るファクシミリ装置は、図２に示すＤＩＳ／ＤＴＣ信号及びＤＣＳ信号のやりとりによって、上記の機能情報、送信情報を通知しあうことができる。
【００２３】
＜ＤＩＳ、ＤＣＳのＦＩＦ構成＞
図２は、解像度関連のビット情報、カラー関連のビット情報、さらに、新規にＩＴＵ−Ｔ勧告Ｔ．３０に追加する情報を示すテーブルである。
【００２４】
ＤＩＳ／ＤＴＣ信号のＦＩＦの６８ビットにより、色空間ＬａｂでのＪＰＥＧ受信機能の有無を通知し、ＤＣＳ信号のＦＩＦの６８ビットにより、色空間ＬａｂでのＪＰＥＧ送信を指定する。
【００２５】
また、ＤＩＳ／ＤＴＣ信号のＦＩＦの６９ビットにより、色空間Ｌａｂでのフルカラー受信機能の有無を通知し、ＤＣＳ信号のＦＩＦの６９ビットにより、色空間はＬａｂであるフルカラー送信を指定する。
【００２６】
また、ＤＩＳ／ＤＴＣ信号のＦＩＦの７０ビットは０にするが、ＤＣＳ信号のＦＩＦの７０ビットにより、色空間Ｌａｂでの優先使用ハフマン符号表を指定する。
【００２７】
また、ＤＩＳ／ＤＴＣ信号のＦＩＦの７１ビットにより、色空間Ｌａｂでの１画素情報の拡張ビット数の受信機能の有無（より具体的には、色空間Ｌａｂでの１２ビット／画素／要素の受信機能の有無）を通知し、ＤＣＳ信号のＦＩＦの７１ビットにより、色空間Ｌａｂでの１画素情報の拡張ビット数の送信を指定（より具体的には、色空間Ｌａｂでの１２ビット／画素／要素送信を指定）をする。
標準的には、色空間Ｌａｂでの８ビット／画素／要素の受信機能は有する。
【００２８】
また、ＤＩＳ／ＤＴＣ信号のＦＩＦの７３ビットにより、色空間Ｌａｂでのオプションサブサンプリングの受信機能の有無（より具体的には、色空間Ｌａｂでのサブサンプリング無し（１：１：１）の受信機能の有無）を通知し、ＤＣＳ信号のＦＩＦの７３ビットにより、色空間Ｌａｂでのオプションサブサンプリングの送信を指定（より具体的には、色空間Ｌａｂでのサブサンプリング無し（１：１：１）送信を指定）をする。標準的には、色空間Ｌａｂでのサブサンプリング（４：１：１）の受信機能は有する。
【００２９】
また、ＤＩＳ／ＤＴＣ信号のＦＩＦの７４ビットにより、色空間Ｌａｂでの非標準照射光での受信機能の有無を通知し、ＤＣＳ信号のＦＩＦの７４ビットにより、色空間Ｌａｂでの非標準照射光での送信を指定する。
【００３０】
また、ＤＩＳ／ＤＴＣ信号のＦＩＦの７５ビットにより、色空間Ｌａｂでの非標準ガミュート範囲での受信機能の有無を通知し、ＤＣＳ信号のＦＩＦの７５ビットにより、色空間Ｌａｂでの非標準ガミュート範囲での送信を指定する。
【００３１】
また、ＤＩＳ／ＤＴＣ信号のＦＩＦのＸビットにより、色空間ｓＹＣＣでの受信機能の有無を通知し、ＤＣＳ信号のＦＩＦのＸビットにより、色空間ｓＹＣＣでの送信を指定する。
【００３２】
ＤＣＳ信号のＦＩＦの６８ビット〜７５ビットは、基本的には上記のように色空間Ｌａｂで表した画像情報の送信指定を表すが、Ｘビットが１の場合には、その代わりに色空間ｓＹＣＣで表した画像情報の送信指定を表す。従って、受信側のファクシミリ装置は、ＤＣＳ信号のＦＩＦのＸビットが１の場合であって、例えば７５ビットが１の場合には、色空間ｓＹＣＣで表された画像情報の非標準ガミュート範囲での送信を行う旨を送信側から指定されたものとして認識する。
【００３３】
ただし、ＤＣＳ信号のＦＩＦの７３ビットは、Ｘビットが１の場合には、色空間ｓＹＣＣでのサブサンプリング（４：１：１）の送信の指定を通知（標準的には、色空間ｓＹＣＣでのサブサンプリング（４：２：２）の受信機能は有する）する。
【００３４】
つまり、前手順にて、本実施形態のファクシミリ装置が送信機として、ＤＣＳ信号のＦＩＦのＸビットに１を立て、色空間ｓＹＣＣでの送信であることを通知した場合、受信機としての本実施形態のファクシミリ装置は、ビット６８〜７５におけるビットが、色空間ｓＹＣＣでのＪＰＥＧ符号化情報の送信、色空間ｓＹＣＣでのフルカラー情報の送信、色空間ｓＹＣＣでの１画素情報の拡張ビット数の送信、色空間ｓＹＣＣでのサブサンプリング（４：１：１）の送信、色空間ｓＹＣＣでの非標準照射光の送信、色空間ｓＹＣＣでの非標準ガミュート範囲の送信を示すものとして認識する。
【００３５】
一方、ＤＩＳ／ＤＴＣ信号のＦＩＦの６８ビット〜７５ビットも、基本的には上記のように色空間Ｌａｂで表した画像情報を受信する際の機能を表すが、色空間ｓＹＣＣの画像情報を送信する旨を示すＤＣＳ信号を受信側ファクシミリが受信した場合であって、そのＤＣＳ信号に対応する送信データの受信に必要な機能が無い場合には、ＤＩＳ／ＤＴＣ信号のＦＩＦの６８ビット〜７５ビットを、色空間ｓＹＣＣで表した画像情報を受信する際の機能を表すものとして用い、そのように生成したＤＩＳ信号を再度送信側ファクシミリ装置に送信する。送信側ファクシミリ装置でも、色空間ｓＹＣＣの画像情報を送信する旨を示すＤＣＳ信号を送信した後に受信側ファクシミリから返ってきたＤＩＳ／ＤＴＣ信号のＦＩＦの６８ビット〜７５ビットは、色空間ｓＹＣＣで表した画像情報を受信する際の機能を表すものとして認識する。
【００３６】
ただしその場合、ＤＩＳ／ＤＴＣ信号のＦＩＦの７３ビットは、色空間ｓＹＣＣでのサブサンプリング（４：１：１）の受信機能の有無を通知（標準的には、色空間ｓＹＣＣでのサブサンプリング（４：２：２）の受信機能は有する）するものである。
【００３７】
つまり、受信機が、色空間ｓＹＣＣでの受信機能を有しているにもかかわらず、色空間ｓＹＣＣでのＪＰＥＧ符号化情報の受信機能、色空間ｓＹＣＣでのフルカラー情報の受信機能、色空間ｓＹＣＣでの１画素情報の拡張ビット数の受信機能、色空間ｓＹＣＣでのオプションサブサンプリングの受信機能、色空間ｓＹＣＣでの非標準照射光の受信機能、色空間ｓＹＣＣでの非標準ガミュート範囲の受信機能、のいずれかを有していない場合には、その機能を有していない旨を改めて送信側に通知する必要がある。
【００３８】
色空間Ｌａｂでのフルカラー情報の受信機能はサポートするが色空間ｓＹＣＣでのフルカラー情報の受信機能はサポートしない、あるいは、色空間Ｌａｂでの１画素情報の拡張ビット数の受信機能はサポートするが色空間ｓＹＣＣでの１画素情報の拡張ビット数の受信機能はサポートしない、あるいは、色空間Ｌａｂでのオプションサブサンプリングの受信機能はサポートするが色空間ｓＹＣＣでのオプションサブサンプリングの受信機能はサポートしない、あるいは、色空間Ｌａｂでの非標準照射光の受信機能はサポートするが色空間ｓＹＣＣでの非標準照射光の受信機能はサポートしない、あるいは、色空間Ｌａｂでの非標準ガミュート範囲の受信機能はサポートするが色空間ｓＹＣＣでの非標準ガミュート範囲の受信機能はサポートしない、のいずれかの場合には、送信機から色空間ｓＹＣＣでの送信が指定された際に、再度、色空間ｓＹＣＣにおける詳細な受信機能の有無を送信機に通知する必要が生じる。
【００３９】
そして、ＤＩＳ信号の再送を受けた送信機は、そのＤＩＳ信号に応じて送信データを変換し、ＤＣＳ信号を再生成して受信機に送信することになる。
【００４０】
なお、上記のＸは、現在のＩＴＵ−Ｔ勧告Ｔ．３０では用いられていないＦＩＦの任意のビット番号であれば良く、例えば１００ビットなどでもよい。
【００４１】
以上説明したように、図２のようなＤＩＳ／ＤＴＣ信号及びＤＣＳ信号のやりとりを行えば、ＤＩＳ信号、ＤＣＳ信号、ＤＴＣ信号のＦＩＦを１ビット増加させるだけで、色空間ｓＹＣＣを用いて表された画像情報についても、画素情報の拡張ビット数、サブサンプリング、非標準照射光、非標準ガミュート範囲についての情報を、送受信できる。
【００４２】
＜動作＞
図３〜図９は、本実施形態に係るファクシミリ装置のＣＰＵ１８がＲＯＭ２４に格納された制御プログラムを実行した場合の処理の流れを示すフローチャートである。
【００４３】
ステップＳ２は、バス２６を介して、メモリ１８をイニシャライズすることを表している。ステップＳ４は、バス２６を介して、操作部の表示部をクリアすることを表している。ステップＳ６では、バス２６を介してＮＣＵ２のＣＭＬをオフする。
【００４４】
ステップＳ８では、受信が選択されたか否かが判断されＹＥＳであるとステップＳ１４に進み、ＮＯであるとステップＳ１０に進む。ステップＳ１０では、送信が選択されたか否かが判断されＹＥＳであるとステップＳ２８に進み、ＮＯであるとステップＳ１２に進み、その他の処理をする。
【００４５】
《受信処理》
ステップＳ１４では、バス２６を介して、ＮＣＵ２のＣＭＬをオンする。ステップＳ１６では、タイマＴ１に３５秒をセットする。ステップＳ１８は、ＣＥＤ信号の送信を表している。
【００４６】
ステップＳ２０は、ＮＳＦ／ＣＳＩ／ＤＩＳ信号の送信を表している。ステップＳ２２では、タイマＴ４に３秒をセットする。ステップＳ２４では、ＮＳＳ／ＴＳＩ／ＤＣＳ信号を受信したか否かが判断され、ＹＥＳであるとステップＳ３０に進み、ＮＯであるとステップＳ２６に進む。
【００４７】
ステップＳ２６では、タイマＴ４がタイムオーバーしたか否かが判断され、ＹＥＳであるとステップＳ２８に進み、ＮＯであるとステップＳ２４に進む。ステップＳ２８では、タイマＴ１がタイムオーバーしたか否かが判断され、ＹＥＳであるとステップＳ６に進み、ＮＯであるとステップＳ２０に進む。
【００４８】
ステップＳ３０では、ＤＣＳ信号のＦＩＦのＸビットは０であるか否かが判断され、ＹＥＳであるとステップＳ３２に進み、ＮＯであると図５のステップＳ４６に進む。
【００４９】
ステップＳ３２では、ＤＣＳ信号のＦＩＦの６８ビットは１であるか否かが判断され、ＹＥＳであるとステップＳ３４に進み、ＮＯであるとステップＳ４０に進む。ステップＳ３４では残りの前手順を行う。更にステップＳ３６では、ＤＣＳ信号のＦＩＦの６９、７０、７１、７３、７４、７５ビットの情報に従い、色空間ＬａｂでのＪＰＥＧ情報を受信し記録する。ステップＳ３８は、後手順を表している。
【００５０】
ステップＳ４０は残りの前手順を表している。ステップＳ４２では、ＤＣＳ信号に指定された情報に基づいてモノクロ画信号の受信／記録を実行する。ステップＳ４４は、後手順を表している。
【００５１】
次に図５のステップＳ４６では、色空間ｓＹＣＣでの画像情報を受信すべき指示がＤＣＳ信号で送られてきた場合の処理を行う。具体的には、ＤＣＳ信号のＦＩＦの６９〜７５ビットにおいて要求されている色空間ｓＹＣＣでの受信機能を全て擁しているか否かを判定する。ステップＳ４６でＹＥＳであると、ステップＳ５４に進み、ＮＯであるとステップＳ４８に進む。
【００５２】
例えば、ステップＳ４６では、受信したＤＣＳ信号の７５ビットが１の場合には、受信側ファクシミリ装置に、色空間ｓＹＣＣでの非標準ガミュート範囲での受信機能があるか否か判定し、無い場合には、ステップＳ５４の処理を行う。
【００５３】
ステップＳ４８は残りの前手順を表している。ステップＳ５０は、ＤＣＳ信号のＦＩＦの６８〜７５ビットの情報に基づいて色空間ｓＹＣＣでの画像情報を受信し記録する。ステップＳ５２は、後手順を表している。
【００５４】
ステップＳ５４は、ＮＳＦ／ＣＳＩ／ＤＩＳ信号の再送信を表している。例えば、受信側ファクシミリ装置に、色空間ｓＹＣＣでの非標準ガミュート範囲での受信機能が無い場合には、ＤＩＳ信号のＦＩＦの７５ビットを０とする。
【００５５】
ステップＳ５６では、タイマＴ４に３秒をセットする。
【００５６】
ステップＳ５８では、ＮＳＳ／ＴＳＩ／ＤＣＳ信号を再受信したか否かが判断され、ＹＥＳであるとステップＳ３０に進み、ＮＯであるとステップＳ６０に進む。ステップＳ６０では、タイマＴ４がタイムオーバーしたか否かが判断され、ＹＥＳであるとステップＳ６２に進み、ＮＯであるとステップＳ５８に進む。図６（ａ）のステップＳ６２では、タイマＴ１がタイムオーバーしたか否かが判断され、ＹＥＳであるとステップＳ６に進み、ＮＯであるとステップＳ２０に進む。
【００５７】
《送信処理》
図６（ｂ）のステップＳ６４では、バス２６を介してＮＣＵ２のＣＭＬをオンする。ステップＳ６６は、発呼回路を使用して、指定された宛先へ発呼することを表している。ステップＳ６８は前手順である。
【００５８】
ステップＳ７０では、カラーファイル情報の送信が選択されたか否かが判断され、ＹＥＳであるとステップＳ７６に進み、ＮＯであるとステップＳ７２に進む。
【００５９】
ステップＳ７２では、カラー原稿情報の送信が選択されたか否かが判断され、ＹＥＳであるとステップＳ９４に進み、ＮＯであるとステップＳ７４に進む。
【００６０】
ステップＳ７４は、モノクロ原稿情報の読み取り、送信の実行を表している。
【００６１】
カラーファイル情報の送信の場合、色空間ｓＹＣＣでのＪＰＥＧフルカラー符号化データ受信機能を受信側ファクシミリが持っている必要がある。そこでステップＳ７６では、ＤＩＳ信号のＦＩＦの６８、６９、Ｘビットは全て１であるか否かを判断する。ＹＥＳであるとステップＳ７８に進み、ＮＯであるとステップＳ９２に進む。
【００６２】
次に、ステップＳ７８では、送信しようとするファイル情報を受信できるだけの機能を受信側ファクシミリが有しているか否かを、ＤＩＳ信号のＦＩＦの７０〜７５ビットは１であるか否かによって判断する。ＹＥＳであるとステップＳ８０に進み、ＮＯであるとステップＳ８６に進む。例えば、送信したいファイルが色空間ｓＹＣＣで１２ビット／画素／要素の画像情報とすると、ＤＩＳのＦＩＦの７１ビットが１か否かを判定する。
【００６３】
図７（ａ）のステップＳ８０は残りの前手順を表している。ここではファイル情報に合わせたＤＣＳ信号を送信する。そして、ステップＳ８２において、所望のファイル情報（例えば、色空間ｓＹＣＣで１２ビット／画素／要素でＪＰＥＧフルカラー情報）を送信する。ステップＳ８４は後手順を表している。
【００６４】
ステップＳ８０でＤＣＳ信号を送信後、再度ＤＩＳ信号を受信側ファクシミリ装置から受信した場合には、そのＤＩＳ信号のＦＩＦは、色空間ｓＹＣＣでの受信機能を表しているものである。この場合は、そのＤＩＳ信号に合わせて、再度ＤＣＳ信号を生成して送信し、かつ、ステップＳ８２において、そのＤＩＳ信号に合わせて画像情報をデータ変換して送信する。
【００６５】
図７（ｂ）のステップＳ８６は残りの前手順を表している。ここでは、送信しようとするファイル情報とＤＩＳ信号がマッチしていない場合なので、ＤＩＳ信号に合わせたＤＣＳ信号を送信する。例えば、ＤＩＳ信号のＦＩＦの７１ビットが０であれば、ＤＣＳ信号のＦＩＦの７１ビットも０にする。そして、ステップＳ８８で、ＤＩＳ信号に合わせてデータ変換した画像情報を送信する。例えば、送信ファイル情報である色空間ｓＹＣＣで１２ビット／画素／要素のデータは、ＤＩＳ信号のＦＩＦの７１ビットが０であれば、色空間ｓＹＣＣで８ビット／画素／要素のデータに変換して、ＪＰＥＧフルカラー送信を実行する。ステップＳ９０は後手順を表している。
【００６６】
ステップＳ８６でＤＣＳ信号を送信後、再度ＤＩＳ信号を受信側ファクシミリ装置から受信した場合には、そのＤＩＳ信号のＦＩＦは、色空間ｓＹＣＣでの受信機能を表しているものである。この場合は、そのＤＩＳ信号に合わせて、再度ＤＣＳ信号を生成して送信し、かつ、ステップＳ８８において、そのＤＩＳ信号に合わせて画像情報をデータ変換して送信する。
【００６７】
図８（ａ）のステップＳ９２は、操作部の表示部に、「相手受信機に機能が無くカラー情報の送信を中断します。」と表示することを表している。この表示は、何らかのキー操作で消すことができる。
【００６８】
図８（ｂ）のステップＳ９４では、ＤＩＳ信号のＦＩＦの６８、６９ビットは１であるか否かが判断され、ＹＥＳであるとステップＳ９６に進み、ＮＯであるとステップＳ９２に進む。
【００６９】
ステップＳ９６では、送信しようとするカラー原稿情報を受信できるだけの機能を受信側ファクシミリが有しているか否かを、ＤＩＳ信号のＦＩＦの７０〜７５ビットが１であるか否かによって判断する。ＹＥＳであるとステップＳ９８に進み、ＮＯであるとステップＳ１０４に進む。例えば、送信したい画像情報が色空間Ｌａｂで非標準照射光でのＪＰＥＧフルカラー画像情報とすると、ＤＩＳのＦＩＦの７４ビットが１か否かを判定する。
【００７０】
ステップＳ９８は残りの前手順を表している。ここでは、送信しようとするカラー原稿画像情報に合わせたＤＣＳ信号を送信する。例えば、送信したい画像情報が色空間Ｌａｂで非標準照射光でのＪＰＥＧフルカラー画像情報とすると、そのＦＩＦの６８、６９、７４ビットは１とする。ステップＳ１００は、カラー原稿画像情報を送信する。例えば、色空間Ｌａｂで非標準照射光にてＪＰＥＧフルカラー送信を実行する。ステップＳ１０２は後手順を表している。
【００７１】
図９のステップＳ１０４は残りの前手順を表している。ここでは、ＤＩＳ信号に合わせたＤＣＳ信号を送信する。例えば、送信したい画像情報が色空間Ｌａｂで非標準照射光でのＪＰＥＧフルカラー画像情報であっても、ＤＩＳのＦＩＦの７４ビットが０の場合には、ＤＣＳ信号のＦＩＦの７４ビットは０とする。ステップＳ１０６は、ＤＩＳ信号に合わせてデータ変換した画像情報を送信する。例えば、送信したい画像情報が色空間Ｌａｂで非標準照射光でのＪＰＥＧフルカラー画像情報の場合であって、ＤＩＳのＦＩＦの７４ビットが０の場合には、色空間Ｌａｂで非標準照射光を標準照射光に変更してＪＰＥＧフルカラー送信を実行する。ステップＳ１０８は後手順を表している。
【００７２】
ＤＩＳ信号、ＤＣＳ信号、ＤＴＣ信号のＦＩＦを１ビット増加させるだけで、色空間ｓＹＣＣを用いて表された画像情報についても、画素情報の拡張ビット数、サブサンプリング、非標準照射光、非標準ガミュート範囲についての情報を、送受信できる。従って、今後ＦＩＦの拡張の可能性を残しつつ、色空間Ｌａｂのみならず、色空間ｓＹＣＣに対しても様々な機能情報を送受信できるプロトコルが実現できる。
【００７３】
また、色空間ｓＹＣＣでの受信機能がありながら、画素情報の拡張ビット数、サブサンプリング、非標準照射光、非標準ガミュート範囲の受信機能を色空間Ｌａｂのみでサポートする場合は、ＤＩＳ信号を再送信すればよく、非常に使い勝手の良いプロトコルを提供可能となる。
【００７４】
（他の実施形態）
以上、本発明の実施形態について詳述したが、本発明は、複数の機器から構成されるシステムに適用しても良いし、また、一つの機器からなる装置に適用しても良い。
【００７５】
なお、本発明は、前述した実施形態の機能を実現するソフトウェアのプログラムを、システム或いは装置に直接或いは遠隔から供給し、そのシステム或いは装置のコンピュータが該供給されたプログラムコードを読み出して実行することによっても達成される場合を含む。その場合、プログラムの機能を有していれば、形態は、プログラムである必要はない。
【００７６】
従って、本発明の機能処理をコンピュータで実現するために、該コンピュータにインストールされるプログラムコード自体も本発明を実現するものである。つまり、本発明のクレームでは、本発明の機能処理を実現するためのコンピュータプログラム自体も含まれる。
【００７７】
その場合、プログラムの機能を有していれば、オブジェクトコード、インタプリタにより実行されるプログラム、ＯＳに供給するスクリプトデータ等、プログラムの形態を問わない。
【００７８】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００７９】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【００８０】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００８１】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【００８２】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【００８３】
なお、本実施形態中で、制御プログラムが実現すると表現した機能については、電子回路などのハードウェアで実現する構成としてもよい。
【００８４】
本発明の実施態様の例を以下に列挙する。
【００８５】
【実施態様１】
カラー画像情報を通信可能なファクシミリ装置において、
色空間Ｌａｂを用いた各種画像情報の受信機能の有無を通知する第１手段と、
色空間ｓＹＣＣを用いた画像情報の受信機能の有無を通知する第２手段と、
を有し、
前記第２手段で色空間ｓＹＣＣを用いた画像情報の受信機能が有ることを通知した場合には、前記第１手段は、色空間ｓＹＣＣを用いた各種画像情報の受信機能の有無を通知する手段として機能することを特徴とするファクシミリ装置。
【００８６】
【実施態様２】
前記第１手段は、
色空間ＬａｂでのＪＰＥＧ符号化情報の受信機能の有無、
色空間Ｌａｂでのフルカラー情報の受信機能の有無、
色空間Ｌａｂでの１画素情報の拡張ビット数の受信機能の有無、
色空間Ｌａｂでのオプションサブサンプリングの受信機能の有無、
色空間Ｌａｂでの非標準照射光の受信機能の有無、
色空間Ｌａｂでの非標準ガミュート範囲の受信機能の有無、
の少なくとも１つを通知可能な手段であることを特徴とする実施態様１に記載のファクシミリ装置。
【００８７】
【実施態様３】
前記第１手段によって、色空間Ｌａｂを用いた各種画像情報の受信機能の有無を送信側ファクシミリ装置に通知した後、色空間ｓＹＣＣでのファクシミリ受信を要求された時には、
色空間Ｌａｂでのフルカラー情報の受信機能はサポートするが色空間ｓＹＣＣでのフルカラー情報の受信機能はサポートしない、あるいは、
色空間Ｌａｂでの１画素情報の拡張ビット数の受信機能はサポートするが色空間ｓＹＣＣでの１画素情報の拡張ビット数の受信機能はサポートしない、あるいは、
色空間Ｌａｂでのオプションサブサンプリングの受信機能はサポートするが色空間ｓＹＣＣでのオプションサブサンプリングの受信機能はサポートしない、あるいは、
色空間Ｌａｂでの非標準照射光の受信機能はサポートするが色空間ｓＹＣＣでの非標準照射光の受信機能はサポートしない、あるいは、
色空間Ｌａｂでの非標準ガミュート範囲の受信機能はサポートするが色空間ｓＹＣＣでの非標準ガミュート範囲の受信機能はサポートしない場合は、
再度、第１手段によって色空間ｓＹＣＣでサポートしない機能を通知することを特徴とする実施態様２に記載のファクシミリ装置。
【００８８】
【実施態様４】
カラー画像情報を通信可能なファクシミリ装置において、
色空間Ｌａｂを用いた各種画像情報を送信するか否か指定する第１手段と、
色空間ｓＹＣＣを用いた画像情報を送信するか否か指定する第２手段と、
を有し、
前記第２手段で色空間ｓＹＣＣを用いた画像情報の送信を行うことを指定した場合には、前記第１手段は、色空間ｓＹＣＣを用いた各種画像情報を送信するか否か指定する手段として機能することを特徴とするファクシミリ装置。
【００８９】
【実施態様５】
前記第１手段は、
色空間ＬａｂでのＪＰＥＧ符号化情報を送信するか否か、
色空間Ｌａｂでのフルカラー情報を送信するか否か、
色空間Ｌａｂでの１画素情報の拡張ビット数を送信するか否か、
色空間Ｌａｂでのサブサンプリングを送信するか否か、
色空間Ｌａｂでの非標準照射光を送信するか否か、
色空間Ｌａｂでの非標準ガミュート範囲を送信するか否か、
の少なくとも１つを指定する手段であることを特徴とする実施態様４に記載のファクシミリ装置。
【００９０】
【実施態様６】
カラー画像情報を通信可能なファクシミリ通信方法において、
色空間Ｌａｂを用いた各種画像情報の受信機能の有無を通知する第１工程と、
色空間ｓＹＣＣを用いた画像情報の受信機能の有無を通知する第２工程と、
を有し、
前記第２工程で色空間ｓＹＣＣを用いた画像情報の受信機能が有ることを通知した場合には、前記第１工程は、色空間ｓＹＣＣを用いた各種画像情報の受信機能の有無を通知する工程として機能することを特徴とするファクシミリ通信方法。
【００９１】
【実施態様７】
カラー画像情報を通信可能なファクシミリ通信方法において、
色空間Ｌａｂを用いた各種画像情報を送信するか否か指定する第１工程と、
色空間ｓＹＣＣを用いた画像情報を送信するか否か指定する第２工程と、
を有し、
前記第２工程で色空間ｓＹＣＣを用いた画像情報の送信を行うことを指定した場合には、前記第１工程は、色空間ｓＹＣＣを用いた各種画像情報を送信するか否か指定する工程として機能することを特徴とするファクシミリ通信方法。
【００９２】
【実施態様８】
上記実施態様６または７に記載のファクシミリ通信方法をコンピュータに実行させることを特徴とする制御プログラム。
【００９３】
【実施態様９】
上記実施態様８に記載の制御プログラムを格納した記憶媒体。
【００９４】
【発明の効果】
本発明によれば、ファクシミリ通信をより効果的に行うことができる。
【図面の簡単な説明】
【図１】本発明の第１実施形態としてのファクシミリ装置のブロック図である。
【図２】本発明の第１実施形態に係るＤＩＳ／ＤＴＣ、ＤＣＳ信号のＦＩＦ情報の具体例である。
【図３】本発明の第１実施形態に係る制御のフローチャートである。
【図４】本発明の第１実施形態に係る制御のフローチャートである。
【図５】本発明の第１実施形態に係る制御のフローチャートである。
【図６】本発明の第１実施形態に係る制御のフローチャートである。
【図７】本発明の第１実施形態に係る制御のフローチャートである。
【図８】本発明の第１実施形態に係る制御のフローチャートである。
【図９】本発明の第１実施形態に係る制御のフローチャートである。
【符号の説明】
２．ＮＣＵ
４．電話機
６．ハイブリッド回路
８．変復調器
１０．発呼回路
１２．加算回路
１４．読み取り回路
１６．記録回路
１８．メモリ回路
２０．操作部
２２．ＣＰＵ
２４．ＲＯＭ
２６．バス
２８．カードインターフェイス
３０．メモリカード
【図１】
2004140465.tif 000003
【図２】
2004140465.tif 000004
【図３】
2004140465.tif 000005
【図４】
2004140465.tif 000006
【図５】
2004140465.tif 000007
【図６】
2004140465.tif 000008
【図７】
2004140465.tif 000009
【図８】
2004140465.tif 000010
【図９】
2004140465.tif 000011